(57)【要約】【課題】歯科用被切削物を削り出す際に除去される余剰部分を抑えることができることで、加工時間を抑えることができる歯科用ミルブランクおよび歯科用ミルブランクを用いた歯科用被切削物の製造装置並びに歯科用被切削物の製造プログラムを提供する。【解決手段】歯科用ミルブランク１１の外形は、円柱状に形成されている。歯科用ミルブランク１１は、歯科用被切削物として削り出される全部被覆冠Ｃを内包する輪郭形状に形成されたミルブランク本体１１ａに、全部被覆冠Ｃの凹部として支台歯Ａを被せるための穴部Ｃ１３に対応する窪み部１１２が形成されている。この窪み部１１２は、円柱状の空間に形成されている。歯科用ミルブランク１１に窪み部１１２が形成されているため、切削する量が減少する。従って、歯科用ミルブランク１１は、歯科用被切削物を削り出し際に除去される余剰部分を抑えることができるため、加工時間を抑えることができる。【選択図】図２
2017046794.tif 000002
【特許請求の範囲】
【請求項１】
歯科用被切削物を内包する輪郭形状に形成されたミルブランク本体に、前記歯科用被切削物の凹部に対応する窪み部が形成された歯科用ミルブランク。
【請求項２】
前記窪み部は、前記歯科用被切削物を歯冠補綴物とし、前記凹部を支台歯に被せるための穴部として形成されたものである請求項１記載の歯科用ミルブランク。
【請求項３】
前記窪み部の一部は、前記支台歯との間に隙間ができるように形成された請求項２記載の歯科用ミルブランク。
【請求項４】
前記窪み部は、前記歯科用被切削物を義歯床とし、前記凹部を口腔粘膜に接触する溝部、または上顎用の義歯床の口蓋部のいずれか一方、または両方として形成されたものである請求項１記載の歯科用ミルブランク。
【請求項５】
前記ミルブランク本体は、舌部に対応する部分が除去されたアーチ状に形成された請求項４記載の歯科用ミルブランク。
【請求項６】
前記窪み部は、前記歯科用被切削物を患者から彩得した歯牙模型とし、前記凹部を口蓋部または舌部として形成されたものである請求項１記載の歯科用ミルブランク。
【請求項７】
前記ミルブランク本体には、切削装置に固定するための柄部が設けられた請求項１から５のいずれかの項に記載の歯科用ミルブランク。
【請求項８】
歯科用ミルブランクの余剰部分を除去した残余部分が歯科用被切削物となる歯科用被切削物の製造装置であって、
歯科用被切削物の原型となる模型の輪郭形状データと、前記歯科用被切削物の凹部に対応する窪み部が形成され、段階的にサイズが設定された歯科用ミルブランクの輪郭形状データとが格納された記憶手段と、
前記模型の輪郭形状データと、段階的にサイズが設定された歯科用ミルブランクの輪郭形状データとを比較する第１手段と、
前記第１手段による比較により、模型の輪郭形状データが内包される歯科用ミルブランクの輪郭形状データの中から歯科用ミルブランクを選定する第２手段とを備えた歯科用ミルブランクを用いた歯科用被切削物の製造装置。
【請求項９】
歯科用ミルブランクから削り出された歯科用被切削物に基づいて、歯科技工士による修正が加えられた歯科用被切削物の輪郭形状データを、修正輪郭形状データとして前記記憶手段に蓄積する第３手段と、
前記記憶手段に蓄積された修正輪郭形状データを重ね合わせることにより得られた最も外側に位置する輪郭面に基づいて、歯科用ミルブランクの形状を設定する第４手段とを備えた請求項８記載の歯科用被切削物の製造装置。
【請求項１０】
歯科用ミルブランクの余剰部分が除去された残余部分を歯科用被切削物とするための歯科用被切削物の製造プログラムであって、
コンピュータを、
歯科用被切削物の原型となる模型の輪郭形状データと、前記歯科用被切削物の凹部に対応する窪み部が形成され、段階的にサイズが設定された歯科用ミルブランクの輪郭形状データとを、記憶手段から読み出し比較する第１手段、
前記第１手段による比較により、模型の輪郭形状データが内包される歯科用ミルブランクの輪郭形状データの中から選定する第２手段として機能させるための歯科用被切削物の製造プログラム。
【発明の詳細な説明】
【技術分野】
【０００１】
本発明は、余剰部分を除去した残余部分が歯科用被切削物となる歯科用ミルブランクおよび、この歯科用ミルブランクを用いて歯科用被切削物を製造するための製造装置並びに歯科用被切削物の製造プログラムに関するものである。
【背景技術】
【０００２】
義歯や義歯床、歯冠補綴物、ブリッジなどをＣＡＤ／ＣＡＭにて削り出しにより形成するときには、歯科用ミルブランクが用いられる。
この歯科用ミルブランクは、円盤状または直方体状に形成される。歯科用ミルブランクから義歯や義歯床、歯冠補綴物、ブリッジなどの歯科用被切削物を削り出すときには、切削装置により歯科用ミルブランクの周囲面から、順次切削して、余剰部分を除去することで、残余部分が歯科用被切削物となる。
【０００３】
このように削られて歯科用被切削物が形成される歯科用ミルブランクについて、廃棄物および材料の除去を最小限にしたという特許文献１に記載されたものが知られている。
特許文献１の「歯科用ＣＡＤ／ＣＡＭシステム用のアドレス可能なマトリックス／クラスターブランクおよびその最適化」には、既存のＣＡＤ／ＣＡＭシステムのブランクホルダーと協動するよう構成されたフレームワークと、アドレス可能なマトリックスまたはクラスターブランクを形成するフレームワークに取り付けられた複数のサブブランクとを含むクラスターミルブランクが記載されている。
フランジを具備する支持体が長手方向軸を有するシャフトに取り付けられ、このシャフトがフレームワークに取り付けられることで、サブブランクはフレームワークに取り付けられている。
【先行技術文献】
【特許文献】
【０００４】
【特許文献１】特開２０１３−１４４１３７号公報
【発明の概要】
【発明が解決しようとする課題】
【０００５】
特許文献１に記載の「歯科用ＣＡＤ／ＣＡＭシステム用のアドレス可能なマトリックス／クラスターブランクおよびその最適化」では、サブブランクから歯科補綴物が作製される。従って、大きな円盤状のミルブランクから、少しの歯科補綴物を削り出すよりは、余剰分が少なくなるため、無駄が少ない。しかし、サブブランクは、円柱状や直方体状に形成されているため、サブブランクから削り出すにしても、まだまだ余剰分が多く、歯科補綴物を削り出すのに時間を要する。
【０００６】
そこで本発明は、歯科用被切削物を削り出す際に除去される余剰部分を抑えることができることで、加工時間を抑えることができる歯科用ミルブランクおよび歯科用ミルブランクを用いた歯科用被切削物の製造装置並びに歯科用被切削物の製造プログラムを提供することを目的とする。
【課題を解決するための手段】
【０００７】
本発明の歯科用ミルブランクは、歯科用被切削物を内包する輪郭形状に形成されたミルブランク本体に、前記歯科用被切削物の凹部に対応する窪み部が形成されたことを特徴とする。
【０００８】
本発明の歯科用ミルブランクによれば、歯科用被切削物の凹部に対応する窪み部が形成されているため、窪み部により少なくなった分、切削する量を減少させることができる。
【０００９】
前記窪み部は、前記歯科用被切削物を歯冠補綴物とし、前記凹部を支台歯に被せるための穴部として形成されたものであることが望ましい。窪み部を、支台歯が歯冠補綴物に深く入り込む穴部と対応する凹みとすることにより、原材料の大幅な削減を図ることができる。
【００１０】
前記窪み部の一部が、前記支台歯との間に隙間ができるように形成されたているため、歯科用被切削物を削り出すに必要なミルブランク本体の原材料の使用量を、更に、減らすことができる。
【００１１】
前記窪み部は、前記歯科用被切削物を義歯床とし、前記凹部を口腔粘膜に接触する溝部、または上顎用の義歯床の口蓋部のいずれか一方、または両方として形成されたものであることが望ましい。窪み部を義歯床の口蓋部に対応する凹みとすることにより、広い範囲の窪み部を形成することができる。従って、歯科用ミルブランクは、効果的に余剰部分を減らせることができ、原材料を減らすことができる。
【００１２】
前記ミルブランク本体は、舌部に対応する部分が除去されたアーチ状に形成されていることが望ましい。歯科用被切削物が下顎用の義歯床であれば、舌部に対応する部分が除去されることで、大幅に余剰部分を減らせることができる。
【００１３】
前記窪み部は、前記歯科用被切削物を患者から彩得した歯牙模型とし、前記凹部を口蓋部または舌部として形成されたものであることが望ましい。窪み部を歯牙模型の口蓋部または舌部に対応する凹みとすることにより、広い範囲の窪み部を形成することができる。従って、歯科用ミルブランクは、効果的に余剰部分を減らせることができ、原材料を減らすことができる。
【００１４】
前記ミルブランク本体に、切削装置に固定するための柄部が設けられていれば、柄部によりミルブランク本体を支持しつつ、自動による切削の際に邪魔になる部分を少なくすることができるので、切削残しを最小限に抑えることができる。
【００１５】
また、本発明は、歯科用ミルブランクの余剰部分を除去した残余部分が歯科用被切削物となる歯科用被切削物の製造装置であって、歯科用被切削物の原型となる模型の輪郭形状データと、前記歯科用被切削物の凹部に対応する窪み部が形成され、段階的にサイズが設定された歯科用ミルブランクの輪郭形状データとが格納された記憶手段と、前記模型の輪郭形状データと、段階的にサイズが設定された歯科用ミルブランクの輪郭形状データとを比較する第１手段と、前記第１手段による比較により、模型の輪郭形状データが内包される歯科用ミルブランクの輪郭形状データの中から歯科用ミルブランクを選定する第２手段とを備えた歯科用ミルブランクを用いたことを特徴とする。
【００１６】
本発明の歯科用被切削物の製造装置によれば、段階的なサイズに設定された歯科用ミルブランクの中から、歯科用被切削物を削り出すことができるものを選択することができる。そのため、本発明の歯科用被切削物の製造装置は、歯科用被切削物を削り出す際に除去される余剰部分を抑えることができることで、加工時間を抑えることができる。
【００１７】
この本発明の歯科用被切削物の製造装置は、歯科用ミルブランクから削り出された歯科用被切削物に基づいて、歯科技工士による修正が加えられた歯科用被切削物の輪郭形状データを、修正輪郭形状データとして前記記憶手段に蓄積する第３手段と、前記記憶手段に蓄積された修正輪郭形状データを重ね合わせることにより得られた最も外側に位置する輪郭面に基づいて、歯科用ミルブランクの形状を設定する第４手段とを備えることが望ましい。
歯科用ミルブランクから削り出された歯科用被切削物に、歯科技工士が患者の状態に応じて修正を加える。この修正を加えた歯科用被切削物の輪郭形状データを、第３手段が修正輪郭形状データとして記憶手段に蓄積する。そして、第４手段が、蓄積された修正輪郭形状データを重ね合わせる。患者ごとに輪郭形状が異なる歯科用被切削物が重ね合わされることで、いずれの患者でも余剰部分として切削された範囲が抽出できる。従って、第４手段が、最も外側に位置する輪郭面に基づいて、歯科用ミルブランクの形状を設定することにより、更に、余剰部分が少ない歯科用ミルブランクとすることができる。
【００１８】
この本発明の歯科用被切削物の製造装置は、歯科用ミルブランクの余剰部分が除去された残余部分を歯科用被切削物とするための歯科用被切削物の製造プログラムであって、コンピュータを、歯科用被切削物の原型となる模型の輪郭形状データと、前記歯科用被切削物の凹部に対応する窪み部が形成され、段階的にサイズが設定された歯科用ミルブランクの輪郭形状データとを、記憶手段から読み出し比較する第１手段、前記第１手段による比較により、模型の輪郭形状データが内包される歯科用ミルブランクの輪郭形状データの中から歯科用ミルブランクを選定する第２手段として機能させるための歯科用被切削物の製造プログラムによって実現することができる。
【発明の効果】
【００１９】
本発明は、窪み部により少なくなった分、切削する量を減少させることができるため、歯科用被切削物を削り出す際に除去される余剰部分を抑えることができることで、加工時間を抑えることができる。
【図面の簡単な説明】
【００２０】
【図１】本発明の実施の形態１に係る歯科用ミルブランクの斜視図である。
【図２】図１に示す歯科用ミルブランクの断面図である。
【図３】本発明の実施の形態２に係る歯科用ミルブランクを示す斜視図である。
【図４】図３に示す歯科用ミルブランクの断面図である。
【図５】本発明の実施の形態３に係る歯科用ミルブランクを示す斜視図である。
【図６】図５に示す歯科用ミルブランクを底面側からみた斜視図である。
【図７】図５の歯科用ミルブランクの他の例を示す斜視図である。
【図８】本発明の実施の形態４に係る歯科用ミルブランクを示す斜視図である。
【図９】本発明の実施の形態５に係る歯科用ミルブランクを示す斜視図である。
【図１０】本発明の実施の形態６に係る歯科用ミルブランクを示す斜視図である。
【図１１】本発明の実施の形態７に係る歯科用ミルブランクを用いた歯科用被切削物の製造装置を示すブロック図である。
【図１２】図９に示す歯科用被切削物の製造装置の動作を説明するためのフローチャートである。
【図１３】本発明の実施の形態８に係る歯科用ミルブランクを用いた歯科用被切削物の製造装置を示すブロック図である。
【図１４】本発明の実施の形態８に係る歯科用ミルブランクを用いた歯科用被切削物の製造装置により歯科用ミルブランクの形状を設定する動作を説明するための図である。
【発明を実施するための形態】
【００２１】
（実施の形態１）
本発明の実施の形態１に係る歯科用ミルブランクを図面に基づいて説明する。
図１に示す歯科用ミルブランク１１は、歯冠補綴物の中でも、支台歯の歯冠部全体を被覆する全部被覆冠を歯科用被切削物として削り出すためのものである。歯科用ミルブランク１１は、金、金合金、銀、銀合金、ジルコニア、コバルト−クロム合金、チタン、チタン合金、ハイブリッドレジン、セラミックス、ポリエーテルエーテルケトン（ＰＥＥＫ）などで形成することができる。
【００２２】
歯科用ミルブランク１１は、ミルブランク本体１１ａが全部被覆冠を内包する輪郭形状に形成されている。本実施の形態１に係るミルブランク本体１１ａでは、円柱状に形成されている。ミルブランク本体１１ａの底面１１１には、窪み部１１２が形成されている。また、ミルブランク本体１１ａの周囲面１１３には、水平方向に延びる柄部１１ｂが形成されている。
【００２３】
ミルブランク本体１１ａの窪み部１１２は、円柱状の空間に形成されている。図２に示すように、全部被覆冠Ｃ１が被覆する支台歯Ａの中心軸を、窪み部１１２の中心軸を合わせて位置させ、支台歯Ａと窪み部１１２とを比較すると、窪み部１１２の開口部の直径ｒ１１は、支台歯Ａの歯頸部の直径ｒ１２より小さく形成されている。窪み部１１２の深さＨ１１は、支台歯Ａの長さＨ１２より浅く形成されている。このように窪み部１１２は、支台歯Ａより小さく形成されている。
【００２４】
また、支台歯Ａに窪み部１１２を位置合わせしたときの支台歯Ａに全部被覆冠Ｃ１を被覆するように位置させると、ミルブランク本体１１ａの外径Ｒ１１は、全部被覆冠Ｃ１の外径Ｒ１２より大きく形成され、ミルブランク本体１１ａの高さＴ１１は、全部被覆冠Ｃ１の高さＴ１２より高く形成されている。
【００２５】
柄部１１ｂは、円柱棒状に形成されている。柄部１１ｂは、ＣＡＤ／ＣＡＭによる切削装置（図示せず）に固定するためのものである。
【００２６】
このように形成された歯科用ミルブランク１１は、歯科用ミルブランク１１の形状のキャビティを有する金型に溶融した原材料を充填する鋳造により形成することができる。また、歯科用ミルブランク１１は、歯科用ミルブランク１１の輪郭形状を示す輪郭形状データに基づいて３Ｄプリンタにより形成することもできる。更に、歯科用ミルブランク１１は、粉末積層造形法（レーザーシンタリング）によっても形成することができる。
【００２７】
歯牙の種類に応じて、また歯牙の大きさに応じて段階的に金型を準備することで、歯科用ミルブランク１１をサイズごとに揃えることができる。例えば、歯科用ミルブランク１１を、１〜３番の前歯用や４番，５番の小臼歯用、６番，７番の大臼歯用として形成されたものを、最小から最大までの間が、５段階や１０段階に分かれるようにして、各種のサイズを揃える。そうすることにより、全部被覆冠Ｃ１の大きさに応じた歯科用ミルブランク１１のサイズを選択することで、切削する際に除去されて廃棄される余剰部分を更に抑えることができる。
また、歯科用ミルブランク１１は、永久歯用や、永久歯用よりサイズが小さい乳歯用を揃えることができる。
【００２８】
この歯科用ミルブランク１１から歯科用被切削物を削り出すときには、まず、全部被覆冠Ｃ１の輪郭形状がデータとして設定された切削装置に柄部１１ｂを掴ませるようにして固定される。
次に、切削装置によりミルブランク本体１１ａを切削する。
例えば、まず、切削装置によりミルブランク本体１１ａの天面１１４が切削されて全部被覆冠Ｃ１の咬合面Ｃ１１が形成される。また、ミルブランク本体１１ａの周囲面１１３が切削されて全部被覆冠Ｃ１の周囲面Ｃ１２が形成される。そして、窪み部１１２の内周面１１２ａを支台歯Ａのテーパ状の傾斜面Ａ１（全部被覆冠Ｃ１の穴部Ｃ１３）の形状に拡げつつ、窪み部１１２の底面１１２ｂを支台歯Ａの天面Ａ２の位置まで深く掘り下げる。そうすることで、支台歯Ａを被覆する全部被覆冠Ｃ１となる歯科用被切削物が、柄部１１ｂが付いた状態で削り出される。
【００２９】
そして、まだ柄部１１ｂが付いた状態の全部被覆冠Ｃ１が切削装置から取り外されると、手作業にて柄部１１ｂを除去すると共に、柄部１１ｂが突出した部分の全部被覆冠Ｃ１の表面を研磨して仕上げる。
【００３０】
このように、歯科用ミルブランク１１には、全部被覆冠Ｃ１となる歯科用被切削物の支台歯Ａを被せるための穴部Ｃ１３に対応する窪み部１１２が形成されているため、単なる円柱状のものから余剰部分を切削するときに窪み部１１２により少なくなった分、切削する量が減少する。従って、歯科用ミルブランク１１は、歯科用被切削物を削り出し際に除去される余剰部分を抑えることができるため、加工時間を抑えることができる。
また、歯科用ミルブランク１１は、余剰部分を抑えることができるため、高価な原材料の使用量を減らせることができる。
【００３１】
また、歯科用ミルブランク１１の窪み部１１２を、支台歯Ａが全部被覆冠Ｃ１に深く入り込む穴部Ｃ１３とすることにより、歯科用ミルブランク１１の原材料の大幅な削減を図ることができる。
【００３２】
更に、歯科用被切削物を歯冠補綴物の一例である全部被覆冠Ｃ１としたものであり、窪み部１１２を、支台歯Ａに被せるための全部被覆冠Ｃ１の穴部Ｃ１３と対応させた凹みとすることにより、歯科用ミルブランク１１の天面１１４に全部被覆冠Ｃ１の咬合面Ｃ１１に対応する凹みを付けるより、深く窪み部１１２を形成することができる。従って、歯科用ミルブランク１１は、効果的に余剰部分を減らせることができ、原材料を減らすことができる。
【００３３】
また、柄部１１ｂがミルブランク本体１１ａに設けられているため、柄部１１ｂによりミルブランク本体１１ａを支持しつつ、自動による切削の際に邪魔になる部分を少なくすることができるので、切削残しを最小限に抑えることができる。
【００３４】
なお、実施の形態１に係るミルブランク本体１１ａの窪み部１１２は、円柱が除かれた形状に形成されているが、研削により支台歯Ａが入る空間が確保できればよいので、窪み部は、支台歯Ａより一回り小さい、切頭円錐形状に形成されていてもよい。
【００３５】
（実施の形態２）
本発明の実施の形態２に係る歯科用ミルブランクを図面に基づいて説明する。
図３および図４に示す歯科用ミルブランク１２は、全部被覆冠を歯科用被切削物として削り出すためのものである。
歯科用ミルブランク１２は、ミルブランク本体１２ａが全部被覆冠Ｃ２を内包する輪郭形状に形成されている。本実施の形態２に係るミルブランク本体１２ａでは、全部被覆冠Ｃ２の各面に沿って、各面の厚みを厚くしたような形状に形成されている。ミルブランク本体１２ａの底面１２１には、窪み部１２２が形成されている。また、ミルブランク本体１２ａの周囲面１２３には、水平方向に延びる柄部１１ｂが形成されている。
【００３６】
ミルブランク本体１２ａの窪み部１２２は、奥側が広く、開口部に向うに従って徐々に狭くなる支台歯Ａと反対向きの切頭円錐形状に形成されている。全部被覆冠Ｃ２が被覆する支台歯Ａの中心軸を、窪み部１２２の中心軸を合わせて位置させ、支台歯Ａと窪み部１２２とを比較すると、窪み部１２２の開口部の直径ｒ２１は、支台歯Ａの歯頸部の直径ｒ２２より小さく形成されている。窪み部１１２の深さＨ２１は、支台歯Ａの長さＨ２２より深く形成されている。
このように、窪み部１２２の奥側は、支台歯Ａの傾斜面Ａ１より大きく拡がるように形成されている。このように窪み部１２２の一部が、支台歯Ａとの間に隙間Ｓができるように形成されている。
【００３７】
このようにミルブランク本体１２ａが、全部被覆冠Ｃ２となる歯科用被切削物の各面（咬合面Ｃ２１，周囲面Ｃ２２）の凹凸に沿って、各面の厚みを厚くしたような形状に形成されているため、更に、ミルブランク本体１２ａの余剰部分を減らせることができ、原材料を減らすことができる。従って、ミルブランク本体１２ａは、更に、加工時間を減少させることができ、高価な原材料の使用量を減らせることができる。
【００３８】
窪み部１２２の奥側は、支台歯Ａとの間に隙間Ｓができるように形成されているため、歯科用被切削物を削り出すに必要なミルブランク本体１２ａの原材料の使用量を、更に、減らすことができる。
なお、全部被覆冠Ｃ２が患者の支台歯Ａに装着されるときに、穴部Ｃ２３の開口縁部により支台歯Ａと接触して、支台歯Ａに支持される。この隙間Ｓにはレジンが充填されてもよいし、接着材であるセメントが充填されてもよい。
【００３９】
（実施の形態３）
本発明の実施の形態３に係る歯科用ミルブランクを図面に基づいて説明する。
図５および図６に示す歯科用ミルブランク１３は、義歯の中でも、上顎用の総義歯の義歯床Ｂを歯科用被切削物として削り出すためのものである。義歯床Ｂは、無歯顎の患者から採得した粘膜面データに基づくものである。歯科用ミルブランク１３は、熱可塑性樹脂（スルホン系樹脂）、熱硬化性樹脂（アクリル系リジン）などで形成することができる。
【００４０】
歯科用ミルブランク１３は、ミルブランク本体１３ａが義歯床Ｂを内包する輪郭形状に形成されている。本実施の形態３に係るミルブランク本体１３ａでは、円柱状に形成されている。ミルブランク本体１３ａの円形状の上面（一方の底面）である第１面１３１（図５参照）には、窪み部１３２が形成されている。ミルブランク本体１３ａの円形状の底面（他方の底面）である第２面１３４（図６参照）には、窪み部１３５が形成されている。また、ミルブランク本体１３ａの周囲面１３３には、水平方向に延びる柄部１１ｂが形成されている。
【００４１】
ミルブランク本体１３ａの第１面１３１に形成された窪み部１３２は、義歯床Ｂの口蓋部Ｂ１１に対応した第１面１３１の中央部に形成されている。ミルブランク本体１３ａの第２面１３４（第１面１３１の裏面）に形成された窪み部１３５は、義歯床Ｂの口腔粘膜に接触するアーチ状の溝部Ｂ１２に対応した位置に形成されている。窪み部１３２，１３５は、窪み部１３２，１３５の周縁部から底に向かってなだらかな傾斜を有する凹みである。
【００４２】
歯科用ミルブランク１３から、義歯床Ｂを削り出すときには、粘膜面データに基づいて作成された義歯床Ｂの輪郭形状がデータとして設定された切削装置に、歯科用ミルブランク１３の柄部１１ｂを掴ませるようにして固定し、歯科用ミルブランク１３の余剰部分を切削して義歯床Ｂを削り出す。
【００４３】
このように、ミルブランク本体１３ａの第１面１３１であって、義歯床Ｂの口蓋部Ｂ１１に対応する第１面１３１に、窪み部１３２が形成され、第２面１３４であって、義歯床Ｂの口腔粘膜に接触するアーチ状の溝部Ｂ１２に対応する第２面１３４に、窪み部１３５が形成されているため、ミルブランク本体１３ａの余剰部分を減らせることができ、原材料を減らすことができる。従って、ミルブランク本体１３ａは、更に、加工時間を減少させることができ、高価な原材料の使用量を減らせることができる。
【００４４】
歯科用被切削物を義歯床Ｂとしたものであり、窪み部１３２を義歯床Ｂの口蓋部Ｂ１１とすることにより、広い範囲の窪み部１３２を形成することができる。従って、歯科用ミルブランク１３は、効果的に余剰部分を減らせることができ、原材料を減らすことができる。
【００４５】
なお、本実施の形態３では、ミルブランク本体１３ａが円柱状に形成されていたが、図７に示すように、義歯床Ｂの形状に近似するように、歯科用ミルブランク１４のミルブランク本体１４ａが厚みの薄い三角形状に形成されていてもよい。この場合においても、ミルブランク本体１４ａに窪み部１４２が形成されているため、ミルブランク本体１４ａの余剰部分を減らせることができるだけでなく、ミルブランク本体１４ａは、義歯床Ｂに近似した形状であるため、余剰部分をより少なくすることができる。
歯科用被切削物が下顎用の義歯床Ｂであれば、ミルブランク本体を平面視して半円形状に形成すると、三角形状とするより、余剰部分となる角部が除去できるため、更に、余剰部分を少なくすることができる。
【００４６】
（実施の形態４）
本発明の実施の形態５に係る歯科用ミルブランクを図面に基づいて説明する。
図８に示す歯科用ミルブランク１５は、義歯の中でも、下顎用の総義歯の義歯床を歯科用被切削物として削り出すためのものである。義歯床は、実施の形態３と同様に、無歯顎の患者から採得した粘膜面データに基づくものである。
【００４７】
歯科用ミルブランク１５は、ミルブランク本体１５ａが義歯床を内包する輪郭形状に形成されている。特に、本実施の形態４に係るミルブランク本体１５ａでは、義歯床の輪郭形状（歯列弓）に合わせて、舌部に対応する部分が除去されたアーチ状に形成されている。
【００４８】
ミルブランク本体１５ａの底面には、口腔粘膜に接触する溝部を凹部として窪み部１５１がアーチ状に形成されている。また、ミルブランク本体１５ａの上面となる第１面１５２の幅方向の両端辺に傾斜面１５３が形成され、角が除去されたような形状に形成されている。
【００４９】
このように、ミルブランク本体１５ａは、口腔粘膜に接触する溝部を凹部として窪み部１５１されていると共に、舌部に対応する部分が除去されたアーチ状に形成されているため、舌部に対応する部分が除去されることで、大幅に余剰部分を減らせることができる。
【００５０】
（実施の形態５）
本発明の実施の形態５に係る歯科用ミルブランクを図面に基づいて説明する。
図９に示す歯科用ミルブランク１６は、アライナーと称される矯正用治具を作製するために、患者の上顎から採得した歯列データに基づいて矯正後の歯牙に補正した歯牙模型Ｍを削り出すためのものである。歯科用ミルブランク１６は、石膏や樹脂などで形成することができる。
【００５１】
歯科用ミルブランク１６は、ミルブランク本体１６ａが歯牙模型Ｍを内包する輪郭形状に形成されている。本実施の形態５に係るミルブランク本体１６ａでは、円柱状に形成されている。ミルブランク本体１６ａの円形状の底面の一つである第１面１６１には、窪み部１６２が形成されている。また、ミルブランク本体１６ａの周囲面１６３には、水平方向に延びる柄部１１ｂが形成されている。
【００５２】
ミルブランク本体１６ａの窪み部１６２は、歯牙模型Ｍの口蓋部Ｍ１１に対応した第１面１６１の中央部に形成されている。窪み部１６２は、窪み部１６２の周縁部から底に向かってなだらかな傾斜を有する凹みである。
【００５３】
歯科用ミルブランク１６から、歯牙模型Ｍを削り出すときには、歯牙模型Ｍの輪郭形状がデータとして設定された切削装置に、歯科用ミルブランク１６の柄部１１ｂを掴ませるようにして固定し、歯科用ミルブランク１６の余剰部分を切削して歯牙模型Ｍを削り出す。
【００５４】
このように、ミルブランク本体１６ａの第１面１６１であって、歯牙模型Ｍの口蓋部Ｍ１１に対応する第１面１６１に、窪み部１６２が形成されているため、ミルブランク本体１６ａの余剰部分を減らせることができ、原材料を減らすことができる。従って、ミルブランク本体１６ａは、更に、加工時間を減少させることができ、高価な原材料の使用量を減らせることができる。
【００５５】
（実施の形態６）
本発明の実施の形態６に係る歯科用ミルブランクを図面に基づいて説明する。
図１０に示す歯科用ミルブランク１７は、矯正用治具を作製するために、患者の下顎から採得した歯列データに基づいて矯正後の歯牙に補正した歯牙模型を削り出すためのものである。歯科用ミルブランク１７は、石膏や樹脂などで形成することができる。
【００５６】
歯科用ミルブランク１７は、ミルブランク本体１７ａが歯牙模型を内包する輪郭形状に形成されている。
本実施の形態６に係るミルブランク本体１７ａでは、下顎の歯牙模型の輪郭形状（歯列弓）に合わせて形成され、歯牙模型の咬合堤に対応するアーチ状の堤部１７１と、歯牙模型の舌部に対応し、堤部１７１より薄く形成された舌部１７２とを備えている。従って、舌部１７２は、堤部１７１より一段下がった窪み部１７３となっている。
また、ミルブランク本体１７ａには、水平方向に延びる柄部１１ｂが形成されている。
【００５７】
このように、窪み部１７３を歯牙模型の舌部に対応する凹みとすることにより、広い範囲の窪み部を形成することができる。従って、歯科用ミルブランクは、効果的に余剰部分を減らせることができ、原材料を減らすことができる。
また、ミルブランク本体１７ａを平面視して半円形状とすることにより、余剰部分となる角部が除去できるため、更に、余剰部分を少なくすることができる。
【００５８】
ここで、歯科用ミルブランクを用いた歯科用被切削物の製造装置を、実施の形態７，８として、図面に基づいて説明する。
（実施の形態７）
まず、本発明の実施の形態７に係る歯科用被切削物の製造装置を、図１１および図１２に基づいて説明する。実施の形態７に係る歯科用被切削物の製造装置は、模型の輪郭形状データと、最小から最大までの間が、５段階や１０段階に分かれた歯科用ミルブランクの輪郭形状データとを比較して、最適な歯科用ミルブランクを選択するものである。
【００５９】
図１１に示す歯科用被切削物の製造装置１００は、コンピュータに、歯科用被切削物の製造プログラムを動作させることより実現している。製造装置１００は、通信手段１０１と、比較手段１０２と、選定手段１０３と、記憶手段１０４と、入力手段１０５と、表示手段１０６とを備えている。なお、歯科用被切削物の製造装置１００は、以下、単に、製造装置１００と略す。
通信手段１０１は、外部（例えば、他のコンピュータ。）からデータを製造装置１００内に入力したり、製造装置１００から外部に出力したりする機能を有する。通信手段１０１は、例えば、ＬＡＮやＵＳＢなどとすることができる。他のコンピュータは、歯科技工所に設置され、イントラネットを介して接続されたコンピュータや、歯科医師に設置され、インターネットを介して接続されたコンピュータとすることができる。
【００６０】
比較手段１０２は、模型の輪郭形状データと、段階的に設定された歯科用ミルブランクの輪郭形状データとを比較する第１手段として機能するものである。
選定手段１０３は、比較手段１０２による比較により、模型の輪郭形状データが内包される歯科用ミルブランクの輪郭形状データの中から歯科用ミルブランクを選定する第２手段として機能するものである。
【００６１】
記憶手段１０４には、歯科用被切削物の原型となる模型の輪郭形状データが格納されている。また、記憶手段１０４には、歯科用被切削物の凹部に対応する窪み部が形成され、段階的にサイズが設定された歯科用ミルブランクの輪郭形状データが格納されている。
この段階的なサイズに設定された歯科用ミルブランクは、上述したように、歯牙の種類に応じて、また歯牙の大きさに応じて設定されている。つまり、小臼歯用として最小のものから最大のものまでが５段階、例えば、Ｓ，Ｍ，Ｌ，２Ｌ，３Ｌなどのようにサイズが分類されて記憶手段１０４に格納されている。
【００６２】
入力手段１０５は、データを打ち込んだり、データを選択したり、動作を指示したりするためのキーボードやマウスとすることができる。表示手段１０６は、ＬＣＤやＣＲＴ、有機ＥＬディスプレイとすることができる。
入力手段１０５と表示手段１０６とは、外部の端末装置によりＬＡＮを介在させてリモートで接続すれば、省略することができる。
【００６３】
以上のように構成された本発明の実施の形態７に係る製造装置１００の動作および使用状態を図面に基づいて説明する。なお、本実施の形態７では、実施の形態１にて説明した全部被覆冠Ｃ１を削り出す場合を例に説明する。
なお、記憶手段１０４には、段階的にサイズが設定された歯科用ミルブランクの輪郭形状データが格納されているものとする。
【００６４】
まず、事前の準備として、歯科医師などにより、患者から支台歯を中心とした隣接した歯牙および歯肉の印象を印象材により凹型として彩得する。次に、歯科技工士などの作業者により、印象材による凹型から模型を作製し、この模型の支台歯に歯科技工士が全部被覆冠を造形する。そして、作業者は、この全部被覆冠を３Ｄスキャナによりスキャンして、全部被覆冠とする歯科用被切削物の原型となる模型の輪郭形状データを取り込む。
または、作業者は、印象材による凹型を直接、３Ｄスキャナによりスキャンして凸型の輪郭形状データを取り込み、この凸型の輪郭形状データの支台歯に基づいて、全部被覆冠を設計することにより、コンピュータの中で、模型の輪郭形状データを作成する。
更に、歯科医師が患者の口腔内を、直接、口腔内スキャナを用いて３Ｄスキャンすることにより、凸型の輪郭形状データを取り込むことができる。
【００６５】
このようにして、模型の輪郭形状データができると、製造装置１００は、通信手段１０１を介して、他のコンピュータから模型の輪郭形状データを入力する（ステップＳ１０）。なお、３Ｄスキャナが製造装置１００に接続されている場合には、模型の輪郭形状データを３Ｄスキャナから、直接、記憶手段１０４へ格納することができる。
【００６６】
模型の輪郭形状データが入力されると、次に、作業者は、入力手段１０５を操作して、歯牙の種類を入力する。次に、記憶手段１０４から、段階的にサイズが設定された歯科用ミルブランクの輪郭形状データが、比較手段１０２により読み出される。このとき、比較手段１０２は、作業者により入力された歯牙の種類の中で、最も小さいサイズの歯科用ミルブランクの輪郭形状データを読み出す（ステップＳ２０）。
比較手段１０２は、図２に示すように、全部被覆冠Ｃ１を示す模型の輪郭形状データが、歯科用ミルブランク１１に内包できるか否かを判定する（ステップＳ３０）。
この判定は、全部被覆冠Ｃ１の穴部Ｃ１３の内周壁が、歯科用ミルブランク１１の窪み部１１２からはみ出していなか、および全部被覆冠Ｃ１の咬合面Ｃ１１や、周囲面Ｃ１２が、歯科用ミルブランク１１の天面１１４および周囲面１１３からはみ出していないか、などにより決定される。
【００６７】
比較手段１０２により選択された歯科用ミルブランク１１のサイズで、全部被覆冠Ｃ１が内包できなければ、選択された歯科用ミルブランク１１は非適合として、ひとつ大きいサイズの歯科用ミルブランク１１を選択するためステップＳ２０へ戻る。
このようにして、全部被覆冠Ｃ１を内包する歯科用ミルブランク１１が選択できれば、適合した歯科用ミルブランク１１のサイズを表示手段１０６へ表示する（ステップＳ４０）。
作業者は、表示手段１０６に表示された歯科用ミルブランク１１のサイズを見て、このサイズの歯科用ミルブランク１１を切削装置にセットして、切削処理を開始する。
【００６８】
このように、製造装置１００は、歯牙の種類に基づいて段階的なサイズに設定された歯科用ミルブランク１１の中から、歯科用被切削物として全部被覆冠Ｃ１を削り出すことができる最も小さいものを選択することができる。そのため、製造装置１００は、歯科用被切削物を削り出す際に除去される余剰部分を抑えることができることで、加工時間を抑えることができる。
【００６９】
本実施の形態７では、比較手段１０２が、段階的なサイズに設定された歯科用ミルブランク１１の中から、全部被覆冠Ｃ１を削り出すことができる最も小さいものを選択していた。しかし、歯科医師の要望や、その後の製造工程によっては、全部被覆冠Ｃ１に突起を設けるときがある。これは、歯科医師が、全部被覆冠を患者の支台歯に装着する際に、全部被覆冠を誤って喉の奥へ落下させないためのものである。この場合、突起を含めた全部被覆冠Ｃ１の形状を模型の輪郭形状データとして、比較手段１０２が段階的なサイズに設定された歯科用ミルブランクの輪郭形状データと比較を行う。そうすることで、突起を含めた全部被覆冠を歯科用切削物として、最適な歯科用ミルブランク１１を選択することができる。
【００７０】
また、本実施の形態７では、歯科用ミルブランク１１から全部被覆冠Ｃ１を削り出すことを例に説明したが、歯科用ミルブランク１２から全部被覆冠Ｃ１を削り出すときや、歯科用ミルブランク１３，１４から義歯床Ｂを削り出すとき、歯科用ミルブランク１６から歯牙模型Ｍを削り出すときでも、製造装置１００を使用することができる。
【００７１】
（実施の形態８）
次に、本発明の実施の形態８に係る歯科用被切削物の製造装置を、図面に基づいて説明する。本実施の形態８に係る歯科用被切削物の製造装置は、更に余剰部分を減少させた歯科用ミルブランクの形状を設定することができるものである。なお、図１３においては、図１１と同じ構成のものは同符号を付して説明を省略する。
【００７２】
図１３に示す歯科用被切削物の製造装置１１０は、第３手段としての蓄積手段１０７と、第４手段としての設定手段１０８とを備えている。
蓄積手段１０７は、歯科用ミルブランクから削り出された歯科用被切削物に基づいて、歯科技工士による修正が加えられた歯科用被切削物の輪郭形状データ（以下、これを修正輪郭形状データと称す。）を記憶手段１０４に蓄積する機能を有する。
設定手段１０８は、記憶手段１０４に蓄積された修正輪郭形状データを重ね合わせることにより得られた最も外側に位置する輪郭面に基づいて、歯科用ミルブランクの形状を設定する機能を有する。
【００７３】
修正輪郭形状データは、歯科用ミルブランクから削り出された歯科用被切削物を、歯科技工士が患者の状態に応じて修正を加え、これを３Ｄスキャンしたものである。従って、修正輪郭形状データは、患者に装着される形状を、そのままを反映させたデータである。
【００７４】
この修正輪郭形状データを３Ｄスキャナから、直接、または歯科技工士や歯科医師が操作する他のコンピュータから、通信手段１０１を介して、蓄積手段１０７が入力して、記憶手段１０４へ格納する。蓄積手段１０７は、これを繰り返すことで修正輪郭形状データを記憶手段１０４に蓄積する。
【００７５】
作業者が入力手段１０５を操作して設定手段１０８に修正輪郭形状データの重ね合わせを指示することで、設定手段１０８は蓄積された修正輪郭形状データを重ね合わせることにより得られた最も外側に位置する輪郭面に基づいて、歯科用ミルブランクの形状を設定する。
【００７６】
例えば、図１４に示すように、記憶手段１０４に蓄積された修正輪郭形状データＤ１〜Ｄ４であるときに、支台歯Ａを中心に重ね合わせると、最も外側に位置する輪郭面のうち輪郭面Ｒ１は修正輪郭形状データＤ４によるものであり、輪郭面Ｒ２は修正輪郭形状データＤ４と修正輪郭形状データＤ３とによるものであり、更に、輪郭面Ｒ３は修正輪郭形状データＤ４によるものである。
【００７７】
このように、設定手段１０８は、輪郭面Ｒ１〜Ｒ３により合成された最も外側に位置する輪郭面を最外輪郭面Ｓ１とする。そして、設定手段１０８は、最外輪郭面Ｓ１から外側に、更に、一回り大きくなるような所定厚みをマージンとして確保して、歯科用ミルブランクの形状Ｓ２として設定する。
【００７８】
このように設定された歯科用ミルブランクの形状Ｓ２は、実際に患者に装着された全部被覆冠に基づいているため、形状Ｓ２の外側部分は余剰部分Ｓ３とすることができるので、ぎりぎりまで歯科用ミルブランクの無駄を省くことができる。また、設定手段１０８が、最外輪郭面Ｓ１から外側に、所定厚みをマージンとして確保することにより、万が一に、これまでの大きさより大きい全部被覆冠が出現しても対応することが可能である。
【００７９】
なお、歯科用被切削物として、実施の形態１，２では歯冠補綴物、実施の形態３，４では総義歯の義歯床、実施の形態５，６では歯牙模型を例に説明した。しかし、本発明は、歯科用被切削物としては、歯を２本以上繋げた連冠用や、部分義歯の義歯床やクラスプ、バーのほか、ブリッジなどにも適用することが可能である。
【産業上の利用可能性】
【００８０】
本発明は、歯冠補綴物や義歯床、歯牙模型などを歯科用被切削物として削り出すための歯科用ミルブランクと、その歯科用ミルブランクを用いて歯科用被切削物を削り出すための製造装置並びに歯科用被切削物の製造プログラムとに好適である。
【符号の説明】
【００８１】
１１，１２，１３，１４，１５，１６，１７  歯科用ミルブランク
１１ａ，１２ａ，１３ａ，１４ａ，１５ａ，１６ａ，１７ａ  ミルブランク本体
１１ｂ  柄部
１１１，１２１  底面
１１２，１２２，１３２，１３５，１４２，１５１，１６２，１７３  窪み部
１１２ａ  内周面
１１２ｂ  底面
１１３，１２３，１３３，１６３  周囲面
１１４  天面
１３１，１５２，１６１  第１面
１３４  第２面
１５３  傾斜面
１７１  堤部
１７２  舌部
Ａ  支台歯
Ａ１  傾斜面
Ａ２  天面
Ｂ  義歯床
Ｂ１１  口蓋部
Ｂ１２  溝部
Ｃ１，Ｃ２  全部被覆冠
Ｃ１１，Ｃ２１  咬合面
Ｃ１２，Ｃ２２  周囲面
Ｃ１３，Ｃ２３  穴部
ｒ１１，ｒ１２，ｒ２１，ｒ２２  直径
Ｒ１１，Ｒ１２  外径
Ｈ１１，Ｈ２１  深さ
Ｈ１２，Ｈ２２  長さ
Ｔ１１，Ｔ１２  高さ
Ｓ  隙間
Ｍ  歯牙模型
Ｍ１１  口蓋部
Ｄ１〜Ｄ４  修正輪郭形状データ
Ｒ１〜Ｒ３  輪郭面
Ｓ１  最外輪郭面
Ｓ２  歯科用ミルブランクの形状
Ｓ３  余剰部分
１００，１１０  歯科用被切削物の製造装置
１０１  通信手段
１０２  比較手段
１０３  選定手段
１０４  記憶手段
１０５  入力手段
１０６  表示手段
１０７  蓄積手段
１０８  設定手段
【図１】
2017046794.tif 000003
【図２】
2017046794.tif 000004
【図３】
2017046794.tif 000005
【図４】
2017046794.tif 000006
【図５】
2017046794.tif 000007
【図６】
2017046794.tif 000008
【図７】
2017046794.tif 000009
【図８】
2017046794.tif 000010
【図９】
2017046794.tif 000011
【図１０】
2017046794.tif 000012
【図１１】
2017046794.tif 000013
【図１２】
2017046794.tif 000014
【図１３】
2017046794.tif 000015
【図１４】
2017046794.tif 000016